(57)【要約】【解決手段】鉄道レール固定クリップ（３）を保持するのに使用される肩部（１）であって、２つの相互に結合された間隔を隔てた壁（１０）を備え、肩部が使用されているとき、壁の間に、保持すべきクリップの部分（３４）が保持され、また、壁によって支持されたクリップ係合手段（１１）を備え、保持すべきクリップの部分と係合し、クリップが使用されているとき、下向きに面した、かかるクリップの表面に係合する特徴又は表面をなんら有しない。【選択図】図１Ａ
2009527665.tif 000002
【特許請求の範囲】
【請求項１】
鉄道レール固定クリップ（３）を保持するために使用する固定装置（１）であって、固定装置（１）は、２つの相互に結合されて間隔を隔てた壁（１０）を備え、これらの間に、固定装置（１）が使用されているとき、保持されるべきクリップ（３）の一部分が保持され、壁（１０）によって支持された、クリップ係合手段（１１）が、保持されるべきレール固定クリップ（３）の一部分に係合し、装置（１）は、クリップ（３）が使用されているとき、下向きを向いたクリップ部分の表面と係合する特徴又は表面をなんら有することがないことを特徴とする固定装置。
【請求項２】
クリップ係合手段（１１）は、接触領域（１１０Ａ，１１０Ｂ）を形成し、ここに、クリップが鉄道のレールに支持されているとき、保持されるべきレールクリップ（３）に装置（１）は係合し、クリップ（３）が通常の動作においてレールに支持されているとき、装置（１）は、装置（１）の任意の他の領域においてはクリップ（３）と係合せず、鉄道のレールに隣接しているとき使用される、動作方位にあるとき、固定装置（１）を上から見たとき、装置（１）における前記接触領域（１１０Ａ，１１０Ｂ）は全く見えず、前記動作方位にあるとき、固定装置（１）を下から見たとき、装置（１）における前記接触領域（１１０Ａ，１１０Ｂ）が見えることを特徴とする請求項１に記載の固定装置。
【請求項３】
装置（１）が使用されているとき、装置（１）におけるすべての前記接触領域（１１０Ａ，１１０Ｂ）は、レールの軸線に対して垂直にレール足部の平面において測定したとき、レールの足部の縁から、実質的に同一の水平距離に存在していることを特徴とする請求項２に記載の固定装置。
【請求項４】
鉄道レール固定クリップ（３）を保持するために使用される固定装置であって、装置（１）は、２つの相互に結合されて間隔を隔てた壁（１０）を備え、これらの間に、固定装置（１）が使用されているとき、保持されるべきクリップ（３）の一部分が保持され、前記壁（１０）によって支持された、クリップ係合手段（１１）が、接触領域（１１０Ａ，１１０Ｂ）を形成し、ここに、クリップ（３）が鉄道のレールに支持されているとき、保持されるべきレールクリップ（３）に装置（１）は係合し、クリップ（３）が通常の動作においてレールに支持されているとき、装置（１）は、装置（１）の任意の他の領域においてはクリップ（３）と係合せず、鉄道のレールに隣接しているとき使用される、動作方位にあるとき、固定装置（１）を上から見たとき、装置（１）における前記接触領域（１１０Ａ，１１０Ｂ）は全く見えず、前記動作方位にあるとき、固定装置（１）を下から見たとき、装置（１）における前記接触領域（１１０Ａ，１１０Ｂ）が見えることを特徴とする固定装置。
【請求項５】
装置（１）が使用されているとき、装置（１）におけるすべての前記接触領域（１１０Ａ，１１０Ｂ）は、レールの軸線に対して垂直にレール足部の平面において測定したとき、レールの足部の縁から、実質的に同一の水平距離に存在していることを特徴とする請求項４に記載の固定装置。
【請求項６】
鉄道レール固定クリップ（３）を保持するために使用される固定装置であって、装置（１）は、２つの相互に結合されて間隔を隔てた壁（１０）を備え、これらの間に、固定装置（１）が使用されているとき、保持されるべきクリップ（３）の一部分が保持され、前記壁（１０）によって支持された、クリップ係合手段（１１）が、接触領域（１１０Ａ，１１０Ｂ）を形成し、ここに、クリップ（３）が鉄道のレールに支持されているとき、保持されるべきレールクリップ（３）に装置（１）は係合し、クリップ（３）がレールに支持されているとき、装置（１）は、装置（１）の任意の他の領域においてはクリップ（３）と係合せず、装置（１）が使用されているとき、装置（１）におけるすべての前記接触領域（１１０Ａ，１１０Ｂ）は、レールの軸線に対して垂直にレール足部の平面において測定したとき、レールの足部の縁から、実質的に同一の水平距離に存在していることを特徴とする固定装置。
【請求項７】
装置（１）は、クリップ（３）が使用されているとき、下向きを向いたクリップ部分の表面と係合する特徴又は表面をなんら有することがないことを特徴とする請求項６に記載の固定装置。
【請求項８】
前記壁（１０）は相互に結合され、そのための結合部分（１４）は、片端から前記壁（１０）との間に延びた部分を有し、これは、装置が使用されているとき、鉄道のレールに最も近く、その他端に向かい、下向きに傾斜した方向に延びる上部表面を有し、固定装置（１）に押し込まれて保持されるべき前記鉄道レール固定クリップ（３）の部分を偏向させるための斜面（１４０）を形成していることを特徴とする請求項１乃至７の何れか１項に記載の固定装置。
【請求項９】
前記結合部分（１４）は、別の部分（１２）を有し、これは、壁（１０）の前記片端の間に延びて、前記上部表面の下に、ベアリング面（１２）を形成することを特徴とする請求項８に記載の固定装置。
【請求項１０】
前記ベアリング面（１２）の高さは、前記壁（１０）の高さに比べて、低くなっていることを特徴とする請求項９に記載の固定装置。
【請求項１１】
前記結合部分（１４）の壁（１０）の前記片端における高さは、前記壁（１０）の高さのおよそ半分の高さであることを特徴とする請求項１０に記載の固定装置。
【請求項１２】
前記斜面（１４０）を形成している結合部分（１４）における前記部分は、側縁に沿って、前記壁（１０）に結合されていることを特徴とする請求項８乃至１１の何れか１項に記載の固定装置。
【請求項１３】
装置（１）は、前記クリップ係合手段（１１）と、装置（１）の頭部（１Ａ）の下方に下向きに延びた軸（１００）とを備え、装置（１）をコンクリート製枕木に結合するために使用されることを特徴とする請求項１乃至１２の何れか１項に記載の固定装置。
【請求項１４】
前記軸（１００）は、頭部（１Ａ）の第１の端部に配置され、この第１の端部は、装置（１）が使用されているとき、鉄道レールに隣接していることを特徴とする請求項１３に記載の固定装置。
【請求項１５】
軸（１００）は、およそＹ字形であって、Ｙ字形の上端を形成している軸（１００）の一部分は、装置（１）の頭部（１Ａ）に結合されていることを特徴とする請求項１３又は１４に記載の固定装置。
【請求項１６】
装置（１）の頭部（１Ａ）の下側から下向きに延びている、少なくとも１つの突起部（１Ｃ）をさらに備えていることを特徴とする請求項１３、１４、又は１５に記載の固定装置。
【請求項１７】
請求項１４の追加として読んだとき、前記又はそれぞれの突起部（１Ｃ）は、第１の端部とは反対側の頭部（１Ａ）における第２の端部に又はその付近に配置されていることを特徴とする請求項１６に記載の固定装置。
【請求項１８】
前記軸（１００）と前記頭部（１Ａ）の下側との間に延在している、少なくとも１つのウェブ（１Ｄ）が存在していることを特徴とする請求項１４乃至１７の何れか１項に記載の固定装置。
【請求項１９】
鉄道レール固定組立体であって、弾性的な鉄道レール固定クリップ（３）と固定装置（１）とを備え、クリップ（３）は、不動作形態から、クリップ（３）の爪先部分（３４）が鉄道レールに支承する、少なくとも１つの動作形態へと偏向することができ、クリップ（３）は、弾性材料のロッドを形成して作られ、ロッドの片端Ａからロッドの他端Ｂへ前進して、まず、実質的に直線状である第１の部分（３１）と、次に、実質的に屈曲した第２の部分（３２）と、次に、第３の部分（３３）と、次に、実質的にＵ字形であり、クリップの爪先部分を形成している第４の部分（３４）と、次に、第５の部分（３５）と、次に、実質的に屈曲した第６の部分（３６）と、最後に、実質的に直線状である第７の部分（３７）とを備え、クリップ（３）における第１と第７との部分（３１，３７）は、脚部部分を形成し、脚部部分の長手軸線は、クリップ（３）が不動作形態にあるとき、実質的に第１の平面（Ｐ）にあり、クリップを前記第１の平面（Ｐ）に対して垂直な方向から見たとき、第３と第５との部分（３３，３５）は、第１と第７との部分（３１，３７）の間にあるように現れ、クリップ（３）が不動作形態にあるとき、第２の、第３の、第４の、第５の、及び第６の部分（３２〜３６）における長手軸線は、実質的に前記第１の平面（Ｐ）にあり、クリップ（３）が前記少なくとも１つの動作形態にあるとき、第３の、第４の、及び第５の部分（３３〜３５）における長手軸線は、実質的に第２の平面（Ｒ）にあり、第１の及び第７の部分（３１，３７）における長手軸線は、実質的に第３の平面（Ｑ）にあり、第２の及び第３の平面（Ｒ，Ｑ）は互いに非平行であり、クリップ（３）には、クリップ保持手段（３８）が設けられ、クリップ（３）がレールから意図せずに引っ込むことを阻止し、固定装置（１）には、クリップ協働手段（１１０Ａ，１１０Ｂ）が設けられ、前記クリップ（３）の前記クリップ保持手段（３８）と協働して、前記クリップ（３）を前記固定装置（１）の内部に保持することを特徴とする請求項１乃至１８の何れか１項に記載の組立体。
【請求項２０】
前記クリップ（３）は、平面視において、実質的にＭ字形であり、Ｍ字形の内側の脚部を結合している領域は、前記爪先部分（３４）を形成し、Ｍ字形の外側の脚部は、クリップ（３）における前記脚部部分（３１，３７）を形成していることを特徴とする請求項１９に記載の組立体。
【請求項２１】
前記クリップ保持手段は、クリップ（３）がレールに支承しない、プリアセンブリ位置に、クリップ（３）を保持するように動作可能であることを特徴とする請求項１９又は２０に記載の組立体。
【請求項２２】
前記クリップ保持手段（３８）は、クリップ（３）における前記脚部部分に設けられていることを特徴とする請求項１９、２０、又は２１に記載の組立体。
【発明の詳細な説明】
【技術分野】
【０００１】
本発明は、レール固定クリップのための固定装置に関する。
【背景技術】
【０００２】
ＷＯ９３／１２２９４号、ＷＯ９３／１２２９５号、及びＷＯ９３／１２２９６号の文献において、本出願人が開示した、鉄道のレール固定システムでは、レール固定クリップがレールに横方向に押し込まれ、クリップの爪先部分がレールに支持されない、“プリアセンブリ”又は“駐車した”位置において、クリップ固定装置（肩部）に保持される。これにより、鉄道の枕木は工場でクリップを備えて予圧でき、プリアセンブリ位置に保持され、枕木が現場に届けられたとき、いったんレールを所定位置に配置すると、クリップは単にホームに押し込まれる。加えて、レール又は側部支柱を保守するときには、絶縁体（レールと肩部との間にある）が続いて必要となり、クリップは、プリアセンブリ位置へレールを戻すように押し込まれ、又は、さらに、クリップが側部支柱絶縁体に重ならない“絶縁体変更位置”にされ、肩部からクリップを完全に引き抜くことは必要にならない。そうしたクリップは時折、“スイッチオン／スイッチオフ”クリップとして知られている。そうした固定システムは、非常に成功することが判明したが、本出願人は、その製造及び使用のいくつかの観点に改良を行うことを望んでいる。
【０００３】
【特許文献１】ＷＯ９３／１２２９４号
【特許文献２】ＷＯ９３／１２２９５号
【特許文献３】ＷＯ９３／１２２９６号
【０００４】
添付図面の図１Ａ及び図１Ｂに示したような、スイッチオン／スイッチオフクリップを保持するための肩部１’は、鋳造によって作られる。鋳造の特徴は、クリップの合致する特徴と協働して、上述したそれぞれの位置にて、クリップを積極的に保持する。鋳鉄肩部を製造する工程は、通常は高度に自動化されているが、本当は以下の簡単な手作業の工程を、単に機械化したバージョンである。最初にパターンが製造され、これは、基本的には、完成品の再使用可能なモデルである。パターンは、２つの半体から作られた箱の中に押し込まれ、これらはそれぞれ、鋳物砂で縁まで充填される。２つの半体は分離され、パターンは取り除かれて、砂には、鏡像である窪みが、その半分は一方の箱に、他方は別の箱に残される。空洞の壁を陥没させずにパターンを砂から引き抜けるために、パターンは、箱の２つの半体の間の接合線からすべての方向にテーパが付けられていなければならない。次に、箱の２つの半体は、一緒に接合されて、溶融した鋳鉄が空間に注ぎ込まれる。硬化したならば、箱は再び分けられて、完成品が取り外される。次に、砂は、箱から取り出され、クリーニングされて、次のモールド成形サイクルのために詰め替えられる。完成品には、代表的に、箱の２つの半体の間の接合部（分割線）のまわりにばりが残され、また、溶融金属が供給された縦湯口が残される。完成品に重要な領域があるならば、それらはドレス（ばり取り）しなければならない。特に、オーバーハングなど、鋳物のクリップ保持特徴を形成し、分割線に形成しなければならないならば、ばり取りが必要になり、別々のコア（複雑さと工程の費用を増やすので不都合である。）を使用せずに、鋳物にオーバーハングした特徴又は空洞を作ることは可能ではない。いくつかの鋳物においては、部品の形状は、箱の２つの半体の間に簡単な平面の分割を有するよりもむしろ、接合部は段差にする必要があるように表される。実際に可能であるけれども、こうした複雑な接合線は生産において不都合である。
【発明の開示】
【発明が解決しようとする課題】
【０００５】
図１Ａ及び図１Ｂに示した種類の肩部１’は、添付図面のうち図２に線ＳＳＬにて示すように、比較的複雑な段差分割線を必要とする。さらに、添付図面のうち図３に丸い領域Ｆにて示すように、この段差分割線の部分は、最終部品の機能において重要であり、ばり取りする必要があるが、容易にアクセスできず、従って、正確にばり取りするのは困難である。
【課題を解決するための手段】
【０００６】
本発明の第１の観点によれば、固定装置が提供され、これは、鉄道レール固定クリップを保持するために使用する固定装置であって、固定装置は、２つの相互に結合されて間隔を隔てた壁を備え、これらの間に、固定装置が使用されているとき、保持されるべきクリップの一部分が保持され、壁によって支持された、クリップ係合手段が、保持されるべきレール固定クリップの一部分に係合し、装置は、クリップが使用されているとき、下向きを向いたクリップ部分の表面と係合する特徴又は表面をなんら有することがないことを特徴とする。
【０００７】
本発明の第２の観点を具現した固定装置においては、クリップ係合手段は、接触領域を形成し、ここに、クリップが鉄道のレールに支持されているとき、保持されるべきレールクリップに装置は係合し、クリップが通常の動作においてレールに支持されているとき、装置は、装置の任意の他の領域においてはクリップと係合せず、鉄道のレールに隣接しているとき使用される、動作方位にあるとき、固定装置を上から見たとき、装置における前記接触領域は全く見えず、前記動作方位にあるとき、固定装置を下から見たとき、装置における前記接触領域が見えることを特徴とする。
【０００８】
本発明の第３の観点を具現した固定装置においては、装置が使用されているとき、装置におけるすべての前記接触領域は、レールの軸線に対して垂直にレール足部の平面において測定したとき、レールの足部の縁から、実質的に同一の水平距離に存在していることを特徴とする。
【０００９】
肩部１の壁の下部にあるクリップ係合特徴を取り除くことで、分割線ＳＳＬをばり取りの必要が最小である領域に移動させることができ、一方、添付図面の図４に矢印で示すように、肩部のスイッチオン／スイッチオフ機能に必要な、鋭利なクリップ保持特徴が形成されるのに充分な角度にて、砂を引き出すことができる。さらに、従来技術に比べて、分割線を移動させることで、肩部１は、軌道において、機械又は携帯機器によって打たれたならば、偶発的な損傷に対して強化される。
【００１０】
好ましくは、前記壁は相互に結合され、そのための結合部分は、片端から前記壁との間に延びた部分を有し、これは、装置が使用されているとき、鉄道のレールに最も近く、その他端に向かい、下向きに傾斜した方向に延びる上部表面を有し、固定装置に押し込まれて保持されるべき前記鉄道レール固定クリップの部分を偏向させるための斜面を形成している。また、斜面は、固定装置の壁に突っ張る機能を有し、それを強化する。
【００１１】
好ましくは、結合部分は、ベアリング面を形成するために、上面の下方の壁の片端の間に延びる、別の部分を有する。好ましくは、ベアリング面の高さは、前記壁の高さに比べて低く、より好ましくは壁の高さのおよそ半分である。
【００１２】
斜面を形成している結合部分の一部分は、その側部縁部に沿って、壁に結合されている。
【００１３】
本発明の第１から第３の観点を具現した固定装置は、前記クリップ係合手段と、装置の頭部の下方に下向きに延びた軸とを備え、装置をコンクリート製枕木に結合するために使用される。軸は、頭部の第１の端部に配置され、この第１の端部は、装置が使用されているとき、鉄道レールに隣接しており、好ましくは、軸は、およそＹ字形であって、Ｙ字形の上端を形成している軸の一部分は、装置の頭部に結合されている。好ましくは、装置の頭部の下側から下向きに延びている、少なくとも１つの突起部をさらに備えており、第１の端部とは反対側の頭部における第２の端部に又はその付近に配置されている。これに代えて又は加えて、軸と頭部の下側との間に延在している、少なくとも１つのウェブが存在している。
【００１４】
肩部のＹ字形の軸は、既存の肩部に比べて、いくらかの重量を節約できる。それは、本発明の第１から第３の観点を具現した肩部だけでなく、別の肩部にも適用できる。
【００１５】
肩部の下側に延在する密封板は、本発明の第１から第３の観点を具現した肩部から省略された、クリップ係合特徴に代えることができ、もしも、プラスチック材料から作られたならば、重量及びコストを組立体の全体から減らすことができる。板は、好ましくは、例えば、ナイロン、ガラス繊維強化プラスチックなどから作られる。そうした密封板は、本出願人の係属中のＰＣＴ出願の主題である。
【００１６】
代表的に、スイッチオン／スイッチオフクリップを保持するための肩部は、枕木の製造中にコンクリートに肩部の軸を埋設することで、コンクリート製鉄道枕木（タイ）に固定される。枕木は上下逆さまにして製造され、仕上げられた枕木の上部は、モールドポケットの底部によって形成される。製造中には、仕上げられた枕木の上に突き出る肩部の部品は、従って、この目的のために、適切な位置にて、モールドポケットの床に切り込まれた開口部を通して突き出る。コンクリート製枕木の中に最後に鋳られる肩部の軸は、コンクリートが注入される前にモールドポケットの中に突き出る。製造工程の第１の段階は、鋳造肩部を上下逆さまにひっくり返し、拒絶するためにモールドポケットの開口部を通して上から押し下げる。コンクリートが注がれて、硬化するとき、枕木は、モールドから持ち上げられて、正しい向きにひっくり返される。工程の困難は、もしも、モールドポケットの底部の開口部が、鋳造肩部の縁部のまわりに非常に密着していないならば、コンクリートは、隙間を通って漏れて、仕上げられたコンクリートレベルの上で、肩部の部品にて硬化することである。他方において、開口部が小さ過ぎるならば、肩部を追加的にドレッシングする必要があり、これには非常に費用がかかる。鋳鉄肩部が比較的広い公差を有するとして、（代表的には、±０．８mm以上）、また、それらの生産に使用されるパターンが経時的に摩耗し、従って、部品の物理的サイズは経時的に減少するとすれば、シールの必要性と確実な密着の必要性との間に、良好な妥協を達成するのは困難である。これは特に、開口部の形状が比較的複雑である場合に当てはまる。開口部に可撓性のリムを取り付けることは、部分的解決策であるが、これらは摩耗して保守を必要とする。
【００１７】
本出願人の係属中のＰＣＴ出願に開示されているように、レールクリップを保持する頭部を有するタイプの、少なくとも１つの埋設されたレールクリップ固定装置と、頭部の下側から延びる軸とを備えてなる、コンクリート製枕木の製造方法は、枕木が形成されるモールドの床には、開口部が設けられ、固定装置の頭部は、開口部を通して挿入され、装置の頭部は、モールドの外部へと延び、装置の軸は、モールドの内部に配置され、コンクリートがモールドの中に導入され、コンクリートがモールドに導入される前に、開口部は、その縁部のまわりと、固定装置の頭部の下側のまわりとに、モールドの床の開口部にかぶせて密封板を配置することでシールされ、板は、固定装置が配置された箇所以外と、重なり合って、開口部の縁部のまわりをシールし、固定装置と合致する中間面を有し、シールが形成されることを特徴とする。
【００１８】
従って、密封板を使用して、モールドポケットの開口部を密封し、コンクリートが肩部の頭部の中に侵入するのを防止する。使用時には、密封板は、コンクリート製枕木の上部に有効に接着され、その上面は枕木の上部におけるコンクリートの上面の面と面一になっている。
【００１９】
好ましくは、密封板がモールドの中に導入される前に、それは固定装置に結合され、頭部の下側に延びて、密封板は、固定装置と一緒に、モールドの中に導入され、頭部が開口部を通して挿入されたとき、開口部にかぶせて配置される。従って、肩部とインターロックするように設計されているならば、密封板は、容易に正確に配置され、上方、前方、又は側方へ移動することがない。また、コンクリート製枕木に結合されているので、下方又は後方にも移動しない。
【００２０】
それは、簡単な外形を有するように、容易に作ることができ、矩形など、肩部の外形と一致する必要はなく、開口部も簡単な外形を有する。プラスチックのモールド成形として形成されるならば、密封板は、鋳鉄部分に比べて、はるかにきつい公差、代表的には、±０．１５mmを有する。しかしながら、密封板が開口部に比べてかなり大きいように作られるならば、開口部の正確なサイズも正確な形状ももはや重要でない。
【００２１】
モールドの開口部が実質的に矩形であり、固定装置の頭部における第１の面が開口部の片側と当接するとき、密封板は好ましくは、前記第１の面とは反対側にて、固定装置の頭部における第２の面と合致するように形成され、他の３つの側部にて開口部の縁部と重なる。頭部の第２の面と合致する、密封板の縁部は、傾斜しており、前記第２の面の傾斜と合致する。
【００２２】
以下、例示的に、添付図面を参照する。
【発明を実施するための最良の形態】
【００２３】
図５Ａ乃至図５Ｇを参照すると、本発明の第１から第３の観点を具現した、固定装置（肩部）について、以下に説明する。図５Ａ乃至図５Ｇに示した固定装置１は、頭部１Ａを備え、その下側から下向きに突出して、軸部分１Ｂと、２つの間隔を隔てた突起部１Ｃとが設けられている。軸部分１Ｂは、実質的にＹ字形の軸１００を備え、Ｙ字形の上部アームの端部にて、頭部１Ａの下側に結合され、Ｙ字形の他端の屈曲部分１０２は、使用されているとき、埋められたコンクリートから軸が引き抜かれるのに抵抗する。図５Ｈに示すように、本発明の第１から第３の観点を具現した別の肩部においては、肩部１の下側には、１又は複数のウェブ１Ｄが設けられ、肩部１の軸１００をその頭部１Ａに結合し、突起部１Ｃ（図５Ｈには不図示）に代えて又は加えて、クリップが押し込まれたとき、肩部１が前方にチッピングするのを防ぐ助けになる。
【００２４】
固定装置１の頭部１Ａは、２つの間隔を隔てた壁１０を備え、頭部１Ａの片端にて、壁１０の底部にて、結合部分１４によって一緒に結合される。結合部分１４の上面は、下向きに傾斜し、斜面１４０を形成し、一方、結合部分１４の前面は、肩部１の前面１２を形成している。壁１０の端部は、頭部１Ａの前端にて、屈曲部分１３によって、肩部の前面１２に結合されている。
【００２５】
壁１０は、その上部にて、外方へ延び、それぞれのクリップ係合面１１を提供し、２つのクリップ係合突出部１１０Ａ，１１０Ｂが設けられ、これらは、下向きに突出し、肩部１の後方から肩部１の前方へ下向きに傾斜した、斜面１１１によって結合され、鉄道レール固定クリップの脚部を偏向させる。肩部１の前面１２には、枕木のモールドと係合するために、突出部１２０が設けられ、コンクリートが導入される前に、モールドにおける正しい高さにて、肩部を硬化させる。肩部１は、前面１２の反対側に後面１５を有している。
【００２６】
図１Ａ及び図１Ｂに示した従来技術の肩部１’とは異なり、肩部１には、据え付けられたとき、又は、部分的に据え付けられたとき、肩部１において、クリップ脚部の下向きの表面に係合する部分又は表面はなんら設けられていない。さらに、肩部がその動作方位にあるとき、クリップ係合面１１は、肩部を上から見たときには見えないが、下から見たときには見えて、すべてのクリップ接触箇所は、レールの軸線に対して垂直に、レール足部の平面において測定したとき、レール足部の縁部から実質的に同一の水平距離にある。
【００２７】
加えて、図１Ａ及び図１Ｂに示した従来技術の肩部と比較して、肩部の上部の特徴は、クリップの据え付け及び引き抜き工具のための反応箇所が解消され、肩部よりもむしろレールに配置及び反応する、新たな設計の工具が開発されたことである。工具配置特徴の解消は、肩部からかなりの重量及びコストを節約し、また、肩部の高さを減少させ、損傷しにくくする。側部支柱絶縁体を肩部に配置して所定位置に保持するのに使用されていたほとんどの特徴は、除去され、肩部の形状の複雑さはかなり減少し、肩部の設計及び製造をはるかに容易にする。
【００２８】
本発明を具現した固定装置と併用されるプラスチック製の密封板２について、図６Ａ乃至図６Ｆを参照して、以下に説明する。密封板２は、枕木の上部において板２が使用されているとき、最も上になる、第１の主面２０と、第１の面とは反対側にある、第２の主面２１とを有している。密封板２は、実質的に矩形の外形であり、１つの側部に沿って切欠部分を有し、耳部２３を形成し、これが、切欠２２の内部の板２の上に配置された肩部１の角部にて、シールを確保する。切欠２２は、傾斜縁部２２ａを有し、肩部１の後面１５における対応する傾斜縁部と合致する。また、切欠２２は、肩部１における対応する丸みを与えられた部分と合致するように、丸みを与えられた凹部２４を有している。
【００２９】
密封板２の第１の主面２０には、２つのクリップ座突出部２５が形成されており、これらは、実質的にＬ字形であり、切欠２２を有する側部とは反対側の板の側部に隣接して、第１の主面２０のそれぞれの角部に配置されている。クリップ座突出部２５は、図６Ａ乃至図６Ｆにおいては平坦である、それぞれの上面２５ａを有しているが、なにかの形状の輪郭（図８Ｆ参照）を有して、これらの領域のプラスチック流れ及び摩耗を減少させる観点から、突出部２５に支承されるクリップの部分と合致させてもよい。板２は、クリップ座突出部２５の領域に補強を有してもよく、例えば、突出部は、より強い材料から形成されるか、又は、小さな鋼のベアリング板を用いて補強されるとよい。
【００３０】
開口部２６は、板２の主面２０／２１を通して形成され、肩部１の一部分、すなわち、突起部１Ｃを受け入れ、板２の開口部２６を通して、枕木のコンクリートの中に延通する。また、板２の主面２０には、直立タブ２７が形成され、これらは、肩部１の下側にあるそれぞれの特徴と協働して、板２及び肩部１が枕木のコンクリートの中にセットされる前に、板２を肩部１に保持する（逆もまた同様）。図５Ｈに示すように、板が肩部１と併用されて、ウェブ１Ｄが肩部１の下側に、軸１００と頭部１Ａとの間に設けられるならば、板２における丸みを与えられた凹部２４は深くなければならないだろう。肩部１の下側の突起部１Ｃが省略されたとすれば、板２の開口部２６は小さくすることができるが、密封板２のモールド成形中に、タブ２７の下側に形成することができるだろう。
【００３１】
肩部１は、所定位置に保持され、モールド内に配置され、そのための機構は、モールドの底部を通して突出する頭部１Ａを引っ張る。肩部１の突出部１２０は、さもなくば歪ませるであろう、密封板に作用する、この引張力の大きさを小さくするように働く。突出部２５の壁は、枕木の製造中に、モールドポケットの開口部の縁部に対して作用して、密封板及び肩部の側方への動きを防ぐように働く。
【００３２】
板２の第２の主面２１は、板の下側を形成し、複数の交差するリブ２８を形成し、これが多数のさねはぎ２９を形成している。板がコンクリート製枕木の上面にセットされたとき、これらのさねはぎ２９と、同じく中空である突出部２５の下側とは、コンクリートで充填され、板２に追加的な強度を提供し、それにより、板２を作るのに必要な、材料の量を、もってコストを減少させる。
【００３３】
本発明を具現した固定装置と併用される鉄道レール固定クリップ３について、図７Ａ乃至７Ｃを参照して、以下に説明する。このクリップは、本出願人の係属中のＰＣＴ出願の主題である。レールクリップ３は、鋼のロッドを屈曲して形成され、ロッドの片端Ａからロッドの他端Ｂへ前進して、まず、クリップの一方の脚部を形成する直線状である第１の部分３１と、次に、１８０゜を越えて屈曲された、屈曲した第２の部分３２と、次に、第３の部分３３と、次に、クリップの爪先部分を形成し、１８０゜屈曲している第４の部分３４と、次に、第３の部分３３の鏡像形状である第５の部分３５と、次に、第２の部分３２の鏡像形状である第６の部分３６と、最後に、クリップの他方の脚部を形成する第７の部分３７とを有している。従って、図７に示すように、クリップは、実質的にＭ字形であると考えられる。ロッドの自由端Ａ，Ｂは、脚部の表面に面取り３７ａを有し、クリップを肩部に挿入するのを助けるために、クリップ３がレールに支承するとき、最も上になる。端部Ａ，Ｂに隣接して、クリップ３の最も上の表面には、クリップ３に止め具３８が形成され、クリップ３を保持するために、肩部１の壁１０に形成された突出部１１０Ａ，１１０Ｂと協働する。止め具３８は、肩部１に対してそれぞれプリアセンブリ及び絶縁体変更位置を形成する、２つの反対側に傾斜して間隔を隔てた面を有するように形成されている。
【００３４】
図７Ａ乃至図７Ｃには示していないが、図８Ａ乃至図８Ｆに示すように、クリップ３の爪先部分３４は、使用されているとき、通常は、レールからクリップ３を絶縁するための爪先絶縁体３４ａを支持している。また、爪先絶縁体３４ａは、クリップ３の第３及び第５の部分３３，３５の部分に延在している。爪先絶縁体３４ａがクリップ３から意図せずに取り外される見込みを減少させるために、クリップ３に配置されたとき、爪先絶縁体３４ａと接触する、爪先部分３４のこれらの部分及び第３及び第５の部分３３，３５は、クリップの残余の部分には一般的に適用されるコーティングが施されずに残される。
【００３５】
クリップ３が不動作形態にあるとき、すなわち、クリップが使用されていない非緊張形態にあるとき、クリップのすべての部分の長手軸線は、実質的に同一の平面Ｐにあり、すなわち、クリップは平坦になっている。
【００３６】
図７Ｃに示すように、クリップを肩部１に押し込んで、クリップ３が動作形態に偏向したとき、クリップ３の脚部３１，３７は、第１の平面Ｐから第２の平面Ｑへ下向きに押し込まれ、クリップ３の第３、第４、第５の部分３３，３４，３５は、平面Ｐから第３の平面Ｒに上向きに偏向し、平面Ｐ，Ｑ，Ｒは非平行である。
【００３７】
上述した要素を採用した鉄道レール固定組立体について、図８Ａ乃至図８Ｆを参照して、以下に説明する。図８Ａ乃至図８Ｆの鉄道レール固定組立体は、鉄道レール５を固定するためのもので、本発明の第１から第３の観点を具現した肩部１と、レール固定クリップ３と、密封板２と、レールパッド４とを備えている。図８Ａ乃至図８Ｆには示していないけれども、使用されているとき、レールは、そうした組立体によってレール頭部の両側にて固定され、軸１Ｂ及び突起部１Ｃはコンクリート製枕木６の中に埋設されることを認識されたい。また、密封板２はコンクリート製枕木６に埋設され、密封板２の上面は、枕木６の上面と面一になっている。図８Ａ／図８Ｂに示すように、クリップ３は肩部１に押し込まれ、そのために、クリップの脚部３１，３７の面取りされた自由端Ａ，Ｂを、密封板２のクリップ座突出部２５の上面２５ａと、肩部１の壁１０の外面にある第１の突出部１１０Ａとの間の隙間に導入し、爪先絶縁体３４ａを支承しているクリップ３の爪先部分３４を、肩部１の壁１０の内面の間の空間の中に挿入し、クリップ３の爪先３４は、爪先絶縁体３４ａを通して、肩部１の斜面１４０に支承し、突出部１１０Ａは、クリップの脚部３１，３７の移動止め３８の内部に配置され、突出部１１０Ａは移動止め３８の後面に接触している。この位置は、“プリアセンブリ”又は“駐車した”位置として知られており、クリップはレール５に支承しないが、パッドの側部支柱絶縁部分４６の棚４７に重なる。脚部３１，３７の下向きの部分は、クリップ座突出部２５の上面２５ａに載っている。
【００３８】
図８Ｃ及び図８Ｄに示すように、クリップ３は、プリアセンブリ位置（第１の動作位置）から第２の動作位置へと押し込まれ、この位置においては、クリップ３の爪先部分３４は、レール５の足部に支承し、壁１０の第２の突出部１１０Ｂは、クリップ３の脚部３１，３７の移動止め３８と係合し、クリップ３の第２の及び第６の位置（かかと部分）は、クリップ座突出部２５の上部面２５ａに支承する。クリップは、レールパッド４の側部支柱絶縁部分４６の棚４７に重なっている。レールを取り外すか又はレールに作業するために必要ならば、クリップは、この位置からプリアセンブリ位置へと戻すように引っ込めることができ、又は、さらに、“絶縁体変更”位置に戻し、移動止め３８の前面は突出部１１０Ａに接触し、クリップ３は、パッド４の側部支柱絶縁部分４６の棚４７に重ならない。
【００３９】
クリップ３が据え付けられると、クリップ３の爪先３４は、肩部１の中央の斜面１４０によって上方向へ押し込まれ、脚部３１，３７は押し下げられて、それによりクリップを割るように開く。これは、別のやり方に比べて、組立体を少し低くすることを可能にする。
【図面の簡単な説明】
【００４０】
【図１】図１Ａ及び図１Ｂ（上述）は、従来技術の固定装置を示した、それぞれ側面図及び平面図である。
【図２】図２（上述）は、図１Ａの側面図であって、段差分割線ＳＳＬの位置を示している。
【図３】図３（上述）は、図１Ａの側面図であって、ばり取りが要求される位置Ｆを示している。
【図４】図４（上述）は、本発明の第１から第３の観点を具現した固定装置の側面図であって、段差分割線ＳＳＬの位置が示されている。
【図５】図５は、本発明の第１から第３の観点を具現した固定装置を示しており、図５Ａは、上から見た斜視図を示し、図５Ｂは、正面図を示し、図５Ｃは、図５Ｂの線Ｚ−Ｚに沿った部分断面図を示し、図５Ｄは、背面図を示し、図５Ｅは、側面図を示し、図５Ｆは、上から見た平面図を示し、図５Ｇは、下から見た底面図を示し、図５Ｈは、側面図であって、本発明の第１から第３の観点を具現した別の固定装置を示している。
【図６】図６は、本発明を具現した固定装置と併用するのに適した密封板を示しており、図６Ａは、上方から見た斜視図を示し、図６Ｂは、密封板の上面を示した平面図を示し、図６Ｃは、密封板の下側を見た底面図を示し、図６Ｄは、図６Ｂの線Ｙ−Ｙに沿った断面図を示し、図６Ｅは、密封板の正面図を示し、図６Ｆは、図６Ｂの線Ｚ−Ｚに沿った断面図を示している。
【図７】図７は、本発明を具現した固定装置と併用される、鉄道レール固定クリップを示しており、図７Ａは、クリップの平面図を示し、図７Ｂは、不動作形態にあるときのクリップの側面図を示し、図７Ｃは、動作形態にあるときのクリップの側面図を示している。
【図８】図８は、本発明を具現した固定装置を採用した鉄道レール固定組立体を示しており、図８Ａ及び図８Ｂは、レールに対してクリップがプリアセンブリ位置にある組立体を示した側面図であり、図８Ｂは、部分断面図を示し、図８Ｃ及び図８Ｄは、組立体を示した別の側面図であって、クリップはレール上に支承され、図８Ｄは、部分断面図を示し、図８Ｅは、組立体の背面図を示し、図８Ｆは、組立体の斜視図を示している。
【図１Ａ】
2009527665.tif 000003
【図１Ｂ】
2009527665.tif 000004
【図２】
2009527665.tif 000005
【図３】
2009527665.tif 000006
【図４】
2009527665.tif 000007
【図５Ａ】
2009527665.tif 000008
【図５Ｂ】
2009527665.tif 000009
【図５Ｃ】
2009527665.tif 000010
【図５Ｄ】
2009527665.tif 000011
【図５Ｅ】
2009527665.tif 000012
【図５Ｆ】
2009527665.tif 000013
【図５Ｇ】
2009527665.tif 000014
【図５Ｈ】
2009527665.tif 000015
【図６Ａ】
2009527665.tif 000016
【図６Ｂ】
2009527665.tif 000017
【図６Ｃ】
2009527665.tif 000018
【図６Ｄ】
2009527665.tif 000019
【図６Ｅ】
2009527665.tif 000020
【図６Ｆ】
2009527665.tif 000021
【図７Ａ】
2009527665.tif 000022
【図７Ｂ】
2009527665.tif 000023
【図７Ｃ】
2009527665.tif 000024
【図８Ａ】
2009527665.tif 000025
【図８Ｂ】
2009527665.tif 000026
【図８Ｃ】
2009527665.tif 000027
【図８Ｄ】
2009527665.tif 000028
【図８Ｅ】
2009527665.tif 000029
【図８Ｆ】
2009527665.tif 000030
【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
鉄道レール固定クリップ（３）を保持するために使用する固定装置であって、固定装置（１）は、２つの相互に結合されて間隔を隔てた壁（１０）を備え、これらの間に、固定装置（１）が使用されているとき、保持されるべきクリップ（３）の一部分が保持され、前記壁（１０）によって支持された、クリップ係合手段（１１）は、接触領域（１１０Ａ，１１０Ｂ）を形成し、ここに、クリップが鉄道のレールに支持されているとき、保持されるべきレールクリップ（３）に装置（１）は係合し、クリップ（３）が通常の動作においてレールに支持されているとき、装置（１）は、装置（１）の任意の他の領域においてはクリップ（３）と係合せず、鉄道のレールに隣接しているとき使用される、動作方位にあるとき、固定装置（１）を上から見たとき、装置（１）における前記接触領域（１１０Ａ，１１０Ｂ）は全く見えず、前記動作方位にあるとき、固定装置（１）を下から見たとき、装置（１）における前記接触領域（１１０Ａ，１１０Ｂ）が見えることを特徴とする請求項１に記載の固定装置。
【請求項２】
装置（１）が使用されているとき、装置（１）におけるすべての前記接触領域（１１０Ａ，１１０Ｂ）は、レールの軸線に対して垂直にレール足部の平面において測定したとき、レールの足部の縁から、実質的に同一の水平距離に存在していることを特徴とする請求項１に記載の固定装置。
【請求項３】
装置（１）は、クリップ（３）が使用されているとき、下向きを向いたクリップ部分の表面と係合する特徴又は表面をなんら有することがないことを特徴とする請求項１に記載の固定装置。
【請求項４】
前記壁（１０）は相互に結合され、そのための結合部分（１４）は、片端から前記壁（１０）との間に延びた部分を有し、これは、装置が使用されているとき、鉄道のレールに最も近く、その他端に向かい、下向きに傾斜した方向に延びる上部表面を有し、固定装置（１）に押し込まれて保持されるべき前記鉄道レール固定クリップ（３）の部分を偏向させるための斜面（１４０）を形成していることを特徴とする請求項１乃至３の何れか１項に記載の固定装置。
【請求項５】
前記結合部分（１４）は、別の部分（１２）を有し、これは、壁（１０）の前記片端の間に延びて、前記上部表面の下に、ベアリング面（１２）を形成することを特徴とする請求項４に記載の固定装置。
【請求項６】
前記ベアリング面（１２）の高さは、前記壁（１０）の高さに比べて、低くなっていることを特徴とする請求項５に記載の固定装置。
【請求項７】
前記結合部分（１４）の壁（１０）の前記片端における高さは、前記壁（１０）の高さのおよそ半分の高さであることを特徴とする請求項６に記載の固定装置。
【請求項８】
前記斜面（１４０）を形成している結合部分（１４）における前記部分は、側縁に沿って、前記壁（１０）に結合されていることを特徴とする請求項４乃至７の何れか１項に記載の固定装置。
【請求項９】
装置（１）は、前記クリップ係合手段（１１）と、装置（１）の頭部（１Ａ）の下方に下向きに延びた軸（１００）とを備え、装置（１）をコンクリート製枕木に結合するために使用されることを特徴とする請求項１乃至８の何れか１項に記載の固定装置。
【請求項１０】
前記軸（１００）は、頭部（１Ａ）の第１の端部に配置され、この第１の端部は、装置（１）が使用されているとき、鉄道レールに隣接していることを特徴とする請求項９に記載の固定装置。
【請求項１１】
軸（１００）は、およそＹ字形であって、Ｙ字形の上端を形成している軸（１００）の一部分は、装置（１）の頭部（１Ａ）に結合されていることを特徴とする請求項９又は１０に記載の固定装置。
【請求項１２】
装置（１）の頭部（１Ａ）の下側から下向きに延びている、少なくとも１つの突起部（１Ｃ）をさらに備えていることを特徴とする請求項９、１０、又は１１に記載の固定装置。
【請求項１３】
請求項１４の追加として読んだとき、前記又はそれぞれの突起部（１Ｃ）は、第１の端部とは反対側の頭部（１Ａ）における第２の端部に又はその付近に配置されていることを特徴とする請求項１２に記載の固定装置。
【請求項１４】
前記軸（１００）と前記頭部（１Ａ）の下側との間に延在している、少なくとも１つのウェブ（１Ｄ）が存在していることを特徴とする請求項１０乃至１３の何れか１項に記載の固定装置。
【請求項１５】
鉄道レール固定組立体であって、弾性的な鉄道レール固定クリップ（３）と固定装置（１）とを備え、クリップ（３）は、不動作形態から、クリップ（３）の爪先部分（３４）が鉄道レールに支承する、少なくとも１つの動作形態へと偏向することができ、クリップ（３）は、弾性材料のロッドを形成して作られ、ロッドの片端Ａからロッドの他端Ｂへ前進して、まず、実質的に直線状である第１の部分（３１）と、次に、実質的に屈曲した第２の部分（３２）と、次に、第３の部分（３３）と、次に、実質的にＵ字形であり、クリップの爪先部分を形成している第４の部分（３４）と、次に、第５の部分（３５）と、次に、実質的に屈曲した第６の部分（３６）と、最後に、実質的に直線状である第７の部分（３７）とを備え、クリップ（３）における第１と第７との部分（３１，３７）は、脚部部分を形成し、脚部部分の長手軸線は、クリップ（３）が不動作形態にあるとき、実質的に第１の平面（Ｐ）にあり、クリップを前記第１の平面（Ｐ）に対して垂直な方向から見たとき、第３と第５との部分（３３，３５）は、第１と第７との部分（３１，３７）の間にあるように現れ、クリップ（３）が不動作形態にあるとき、第２の、第３の、第４の、第５の、及び第６の部分（３２〜３６）における長手軸線は、実質的に前記第１の平面（Ｐ）にあり、クリップ（３）が前記少なくとも１つの動作形態にあるとき、第３の、第４の、及び第５の部分（３３〜３５）における長手軸線は、実質的に第２の平面（Ｒ）にあり、第１の及び第７の部分（３１，３７）における長手軸線は、実質的に第３の平面（Ｑ）にあり、第２の及び第３の平面（Ｒ，Ｑ）は互いに非平行であり、クリップ（３）には、クリップ保持手段（３８）が設けられ、クリップ（３）がレールから意図せずに引っ込むことを阻止し、固定装置（１）には、クリップ協働手段（１１０Ａ，１１０Ｂ）が設けられ、前記クリップ（３）の前記クリップ保持手段（３８）と協働して、前記クリップ（３）を前記固定装置（１）の内部に保持することを特徴とする請求項１乃至１４の何れか１項に記載の組立体。
【請求項１６】
前記クリップ（３）は、平面視において、実質的にＭ字形であり、Ｍ字形の内側の脚部を結合している領域は、前記爪先部分（３４）を形成し、Ｍ字形の外側の脚部は、クリップ（３）における前記脚部部分（３１，３７）を形成していることを特徴とする請求項１５に記載の組立体。
【請求項１７】
前記クリップ保持手段は、クリップ（３）がレールに支承しない、プリアセンブリ位置に、クリップ（３）を保持するように動作可能であることを特徴とする請求項１５又は１６に記載の組立体。
【請求項１８】
前記クリップ保持手段（３８）は、クリップ（３）における前記脚部部分に設けられていることを特徴とする請求項１５、１６、又は１７に記載の組立体。
【国際調査報告】
2009527665.tif 000031
2009527665.tif 000032